(57)【要約】【課題】基準信号を生成するための回路を提供する【解決手段】基準信号を生成するための回路は、第１の抵抗列及び前記第１の抵抗列と実質的に同じである第２の抵抗列と、トリム回路と、抵抗制御器とを備えることができる。前記第１の抵抗列に連結される前記トリム回路は、前記第１の抵抗列内の端子における端子電圧に従って基準信号を生成するように動作可能である。前記第１の抵抗列及び前記第２の抵抗列に連結される前記抵抗制御器は、前記第１の抵抗列内の抵抗及び前記第２の抵抗列内の対応する抵抗を選択的にショートするように動作可能である。【選択図】図２
2011198362.tif 000002
【特許請求の範囲】
【請求項１】
基準信号を生成するための回路であって、前記回路が、
第１の抵抗列及び前記第１の抵抗列と実質的に同じである第２の抵抗列と、
前記第１の抵抗列に連結されると共に、前記第１の抵抗列内の端子における端子電圧を選択的に伝達するように動作可能なトリム制御器と、
前記トリム制御器に連結されると共に、前記基準信号を生成するために、前記端子電圧を第２の電圧と比較するように動作可能な増幅器と、
前記第１の抵抗列及び前記第２の抵抗列に連結されると共に、前記第１の抵抗列内の抵抗及び前記第２の抵抗列内の対応する抵抗を選択的にショートするように動作可能な抵抗制御器と
を備えることを特徴とする回路。
【請求項２】
前記第２の抵抗列に連結されると共に、前記第２の抵抗列内の端子における端子電圧を第２の基準信号として選択的に提供するように動作可能な端子選択器を更に備える
ことを特徴とする請求項１に記載の回路。
【請求項３】
前記第１の抵抗列と前記第２の抵抗列が並列に連結される
ことを特徴とする請求項１に記載の回路。
【請求項４】
前記トリム制御器が、前記第１の抵抗列内の前記端子における前記端子電圧を選択的に伝達するためのマルチプレクサを備える
ことを特徴とする請求項１に記載の回路。
【請求項５】
前記基準信号が、バッテリに関する過電圧しきい値を示す
ことを特徴とする請求項１に記載の回路。
【請求項６】
前記基準信号が、バッテリに関する不足電圧しきい値を示す
ことを特徴とする請求項１に記載の回路。
【請求項７】
前記基準信号が、バッテリに関する過電流しきい値を示す
ことを特徴とする請求項１に記載の回路。
【請求項８】
バッテリ管理回路であって、
バッテリに連結されると共に、基準信号に従って前記バッテリの充電及び放電を制御するように動作可能な回路構成と、
前記回路構成に連結されると共に、前記基準信号を生成するように動作可能な基準回路とを備え、
前記基準回路が、
第１の抵抗列及び前記第１の抵抗列と実質的に同じである第２の抵抗列と、
前記第１の抵抗列に連結されると共に、前記第１の抵抗列内の端子における端子電圧に従って前記基準信号を生成するように動作可能なトリム回路と、
前記第１の抵抗列及び前記第２の抵抗列に連結されると共に、前記第１の抵抗列内の抵抗及び前記第２の抵抗列内の対応する抵抗を選択的にショートするように動作可能な抵抗制御器とを備える
ことを特徴とするバッテリ管理回路。
【請求項９】
前記第１の抵抗列と前記第２の抵抗列が並列に連結される
ことを特徴とする請求項８に記載のバッテリ管理回路。
【請求項１０】
前記トリム回路が、前記第１の抵抗列に連結されると共に、前記第１の抵抗列内の端子における端子電圧を選択的に伝達するように動作可能なトリム制御器を備える
ことを特徴とする請求項８に記載のバッテリ管理回路。
【請求項１１】
前記トリム回路が、前記トリム制御器に連結されると共に、前記基準信号を生成するために、前記端子電圧を第２の電圧と比較するように動作可能な増幅器を更に備える
ことを特徴とする請求項１０に記載のバッテリ管理回路。
【請求項１２】
前記基準回路が、前記第２の抵抗列に連結されると共に、前記第２の抵抗列内の端子における端子電圧を第２の基準信号として選択的に提供するように動作可能な端子選択器を更に備える
ことを特徴とする請求項８に記載のバッテリ管理回路。
【請求項１３】
もし前記バッテリのバッテリ電圧が前記基準信号より更に大きいならば、前記回路構成がバッテリの充電を終了する
ことを特徴とする請求項８に記載のバッテリ管理回路。
【請求項１４】
もし前記バッテリのバッテリ電圧が前記基準信号より更に小さいならば、前記回路構成がバッテリの放電を終了する
ことを特徴とする請求項８に記載のバッテリ管理回路。
【請求項１５】
前記基準信号が、前記バッテリに関する過電圧しきい値を示す
ことを特徴とする請求項８に記載のバッテリ管理回路。
【請求項１６】
前記基準信号が、前記バッテリに関する不足電圧しきい値を示す
ことを特徴とする請求項８に記載のバッテリ管理回路。
【請求項１７】
第１の抵抗列内の端子における端子電圧を選択的に伝達することと、
基準信号を生成するために、前記端子電圧を第２の電圧と比較することと、
前記第１の抵抗列内の抵抗及び前記第１の抵抗列と実質的に同じである第２の抵抗列内の対応する抵抗を選択的にショートすることと
を含むことを特徴とする方法。
【請求項１８】
前記第２の抵抗列内の端子における端子電圧を第２の基準電圧として選択的に提供することを更に含む
ことを特徴とする請求項１７に記載の方法。
【請求項１９】
前記基準信号に従ってバッテリの充電を制御することを更に含む
ことを特徴とする請求項１７に記載の方法。
【請求項２０】
前記基準信号に従ってバッテリの放電を制御することを更に含む
ことを特徴とする請求項１７に記載の方法。
【発明の詳細な説明】
【技術分野】
【０００１】
本発明は、基準信号を生成するための回路に関係する。
【背景技術】
【０００２】
この出願は、“Reference Circuit for Generating Adjustable Signals”と題名が付けられると共に、２０１０年３月１９日に出願され、その全体が参照によってここに組み込まれる米国仮特許出願第６１／３１５，４８６号に対する優先権を主張する。
【０００３】
基準電圧を生成する基準回路は、様々な半導体アプリケーションに使用される。図１は、従来技術における基準回路１００を示す。基準回路１００は、誤差増幅器１１０、トリム（trim：調整）制御器１２０、及び抵抗列１５０を備える。抵抗列１５０は、抵抗１３０、１４０、１５２、及び１５４を備え得る。誤差増幅器１１０は、バンドギャップ基準電圧“ＶＢＧ”をトリム制御器１２０からの信号と比較して、基準電圧“ＶＯＵＴ”を生成する。バンドギャップ基準電圧“ＶＢＧ”が変化し得るので、所望のレベルまたは範囲の基準電圧“ＶＯＵＴ”を生成するために、トリム制御器１２０が、バンドギャップ基準電圧“ＶＢＧ”における変化を補償することによって基準電圧“ＶＯＵＴ”の正確度を向上させるのに使用される。より具体的には、トリム制御器１２０は、所望のレベルまたは範囲の基準電圧“ＶＯＵＴ”を生成するために、抵抗列１５０内の１つ以上の抵抗を選択的にショートすることができると共に、抵抗列１５０内の端子（例えばノード１５３）における電圧を誤差増幅器１１０に対して選択的に伝達することができる。
【発明の概要】
【発明が解決しようとする課題】
【０００４】
バッテリ管理システムのようないくらかのアプリケーションでは、複数の基準信号が、必要とされ得るか、もしくは求められ得る。いくらかの従来の方法では、異なる基準信号を生成するために、各基準信号が、対応する誤差増幅器、トリム制御器、及び抵抗列を備える対応する基準回路１００によって生成され、それによって、ダイの大きさ、電力消費、及びトリミング回路の複雑さを増加させる。
【課題を解決するための手段】
【０００５】
一実施例において、基準信号を生成するための回路は、第１の抵抗列及び前記第１の抵抗列と実質的に同じである第２の抵抗列と、トリム回路と、抵抗制御器とを備える。前記第１の抵抗列に連結される前記トリム回路は、前記第１の抵抗列内の端子における端子電圧に従って基準信号を生成するように動作可能である。前記第１の抵抗列及び前記第２の抵抗列に連結される前記抵抗制御器は、前記第１の抵抗列内の抵抗及び前記第２の抵抗列内の対応する抵抗を選択的にショートするように動作可能である。
【図面の簡単な説明】
【０００６】
【図１】従来技術における基準回路を示す図である。
【図２】本発明の一実施例による基準信号を生成するための基準回路の構成図を例証する図である。
【図３】本発明の一実施例によるバッテリパックの充電／放電を制御するためのバッテリ管理システムの構成図を示す図である。
【図４】本発明の一実施例による基準信号を生成するための基準回路の構成図を示す図である。
【図５】本発明の一実施例による基準信号を生成するための方法のフローチャートを示す図である。
【発明を実施するための形態】
【０００７】
本明細書に組み込まれ、そして本明細書の一部を形成する添付図面は、本発明の実施例を例証すると共に、発明の詳細な説明と共に、本発明の原理を説明するのに役立つ。
【０００８】
その一例が添付図面において例証される本発明の実施例に対する参照が、ここから詳細に行われることになる。本発明が実施例と共に説明されることになる一方、それらが本発明をこれらの実施例に限定することを意図していないということが理解されることになる。これに反して、本発明は、添付された請求項によって定義されたように、本発明の精神及び範囲の中に含まれ得る代替物、修正物、及び等価物をカバーすることを意図している。
【０００９】
更に、本発明の実施例の以下の詳細な説明において、本発明の完全な理解を行うために、多数の特定の詳細が説明される。しかしながら、本発明はこれらの特定の詳細なしで実行され得るということが当業者によって認識されることになる。他の例では、周知の方法、手続き、構成要素、及び回路は、本発明の実施例の特徴を不必要に不明瞭にしないように、詳細に説明されなかった。
【００１０】
本発明による実施例は、より小さなダイの大きさ、より低い電力消費、及びあまり複雑でない回路構造を有する一方で、改良された正確度によって基準信号を生成する基準回路を提供する。
【００１１】
図２は、本発明の一実施例による基準信号を生成するための基準回路２００の構成図を例証する。図２の例において、回路２００は、バンドギャップ基準電圧“ＶＢＧ”に基づく基準信号を生成する。一実施例において、回路２００は、（誤差増幅器２１０及びトリム（trim：調整）制御器２２０を有する）トリム回路と、端子選択器２５０と、抵抗制御器２６０と、抵抗列２３０及び２４０とを備える。
【００１２】
一実施例において、抵抗列２３０と抵抗列２４０は、実質的に同じである。図２の例において、限定ではなく実例目的のために、第１の抵抗列２３０は、抵抗２３Ａ〜２３Ｈを備えると共に、第２の抵抗列２４０は、抵抗２４Ａ〜２４Ｈを備える。
【００１３】
トリム制御器２２０は、第１の抵抗列２３０に連結されると共に、第１の抵抗列２３０内の端子における端子電圧を誤差増幅器２１０に選択的に伝達するように動作可能である。一実施例において、トリム制御器２２０は、第１の抵抗列２３０内の端子における端子電圧を誤差増幅器２１０に選択的に伝達するためのマルチプレクサを備える。誤差増幅器２１０は、基準電圧“ＶＯＵＴ”を生成するために、受け取られた端子電圧２１１をバンドギャップ電圧“ＶＢＧ”と比較する。一実施例において、基準電圧“ＶＯＵＴ”は、バンドギャップ電圧“ＶＢＧ”に比例する。
【００１４】
抵抗列２３０及び２４０に連結される抵抗制御器２６０は、抵抗列２３０及び２４０内の対応する抵抗をショートすることができる。一実施例において、抵抗列２３０及び２４０は、実質的に同じであると共に、抵抗制御器２６０は、抵抗列２３０内の１つ以上の抵抗及び抵抗列２４０内の対応する（複数の）抵抗を選択的にショートする。例えば、抵抗制御器２６０は、抵抗列２３０内の抵抗２３Ｄ及び抵抗列２４０内の抵抗２４Ｄをショートする。
【００１５】
端子選択器２５０は、抵抗列２４０内の１つ以上の端子を選択すると共に、追加の基準電圧として、選択された端子における電圧を出力することができる。例えば、図２の例において、端子選択器２５０は、端子２４＿１における端子電圧を出力することができる。
【００１６】
有利に、基準回路２００は、複数の基準信号を生成することができる。抵抗列２３０と実質的に同じである抵抗列２４０を備えることによって、独立した基準信号が生成され得るので、例えば、１つの基準信号を調整する場合に、他の基準信号は影響を受けず、設計の融通性が拡張される。更に、一度基準電圧が調整されれば、回路２００によって生成された他の基準電圧は、追加の調整手続き（トリミング手続き）なしで自動的に同様に調整される。更に、トリム制御器、誤差増幅器、及び抵抗列を備えることによって、基準回路２００は、より低い電力消費、及びより小さなダイの大きさを有している。図２の例において、基準回路２００は、限定ではなく実例目的のために、端子選択器及び抵抗制御器を備える。基準回路２００は、複数の端子選択器及び抵抗制御器を備えることができる。
【００１７】
図３は、本発明の一実施例によるバッテリパック３１０の充電及び放電を制御するためのバッテリ管理回路／システム３００の構成図を示す。バッテリパック３１０は、それに制限されないが、リチウム−イオンバッテリ、ポリマバッテリ（Polymer battery）、または鉛酸蓄電池（Lead-Acid battery）であり得る。本発明はバッテリに関して説明されるが、本発明はそのように限定されない。例えば、バッテリパック３１０は、太陽電池と交換され得る。図３の例において、システム３００は、更に、バッテリ保護回路３２０、ヒューズ３３０、センサ３４０、スイッチ３５０、３６０、及び３７０、電源３８０、そして負荷３９０のような回路構成を備える。
【００１８】
図３の例において、バッテリパック３１０は、バッテリセル３１１〜３１４を備える。センサ３４０、例えば抵抗は、バッテリパック３１０を流れる電流を感知する。バッテリ保護回路３２０は、セル電圧及びセルを流れる電流のようなセル３１１〜３１４の状態を検出すると共に、従って、バッテリパック３１０の充電及び放電を制御するために、スイッチ３５０、３６０、及び３７０を制御する。このように、バッテリ保護回路３２０は、望まれない状態または異常な状態、例えば、過電圧、過電流、及び不足電圧状態からバッテリパックを保護する。
【００１９】
一例として、もしセル電圧が所定の過電圧しきい値より所定期間の間高いならば、バッテリ保護回路３２０は、過電圧保護を作動させ、例えば充電を終了する。バッテリ保護回路３２０は、電源３８０からスイッチ３５０とヒューズ３３０を通ってバッテリパック３１０に対して流れる充電電流をカットするための信号ＧＨＧによってスイッチ３５０をターンオフすることができる。もしセル電圧が所定の過電圧解除しきい値（predetermined over-voltage release threshold）以下になるならば、バッテリ保護回路３２０は、過電圧保護を解除するために、スイッチ３５０をターンオンする。一実施例において、もしセル電圧が過電圧しきい値よりも高い所定の過電圧固定障害しきい値（over-voltage-permanent-failure threshold）より大きいならば、バッテリ保護回路３２０は、過電圧固定障害保護（over-voltage-permanent-failure protection）を作動させる。バッテリ保護回路３２０は、ヒューズ３３０をショートさせて燃やすための信号ＰＦによってスイッチ３６０をターンオンすると共に、新しいヒューズが交換されない限り、充電は永久に終了される。
【００２０】
一実施例において、もしセル電圧が所定の不足電圧しきい値（under-voltage threshold）より所定期間の間低いならば、バッテリ保護回路３２０は、不足電圧保護を作動させ、例えば、放電を終了する。バッテリ保護回路３２０は、バッテリパック３１０からヒューズ３３０、負荷３９０、スイッチ３７０、及びセンサ３４０を通ってバッテリパック３１０へ戻る放電電流をカットするための信号ＤＳＧによってスイッチ３７０をターンオフする。もしセル電圧が所定の不足電圧解除しきい値（under-voltage release threshold）以上に増加するならば、バッテリ保護回路３２０は、不足電圧保護を解除するために、スイッチ３７０をターンオンする。
【００２１】
一実施例において、もしバッテリパック３１０の充電電流もしくは放電電流が所定の過電流しきい値より所定期間の間高いならば、バッテリ保護回路３２０は、充電または放電を終了することによって過電流保護を作動させる。例えば、放電の間、もしセンサ３４０における電圧降下が所定の過電流しきい値より所定期間の間高いならば、バッテリ保護回路３２０は、バッテリ放電電流をカットするために、スイッチ３７０をターンオフすることによって、過電流保護を作動させる。充電の間、もしセンサ３４０における電圧降下が所定の過電流しきい値より所定期間の間高いならば、バッテリ保護回路３２０は、バッテリ充電電流をカットするために、スイッチ３３０をターンオフすることによって、過電流保護を作動させる。
【００２２】
図４は、本発明の一実施例による基準電圧を生成するための基準回路４００の構成図を示す。図２と同じラベルが付けられた構成要素は、同様の機能を有している。図４は、図２及び図３と組み合わせて説明される。
【００２３】
図４の例において、基準回路４００は、誤差増幅器２１０、トリム制御器２２０、端子選択器４５１〜４５３、抵抗制御器４６１〜４６３、そして抵抗列４３０及び４４０を備える。一実施例において、抵抗列４３０及び４４０は、実質的に同じである。
【００２４】
一実施例において、基準回路４００は、図３の例におけるバッテリ管理システム３００のための、過電圧しきい値、過電圧解除しきい値、過電圧固定障害しきい値、不足電圧しきい値、不足電圧解除しきい値、過電流しきい値のような、１つ以上の基準電圧を生成する。有利に、それらのしきい値は、バッテリパックのタイプ、及び異なるアプリケーションに従って調整され得ると共に、異なるバッテリ管理システムに対して基準回路４００を柔軟にする。しかしながら、本発明は、バッテリ管理システムに限定されない。回路４００は、様々な他の目的またはアプリケーションのための様々な基準を生成するために、同様に使用され得る。
【００２５】
図４の例において、抵抗制御器４６１は、スイッチ４６１Ａ及び４６１Ｂを備える。スイッチ４６１Ａ及び４６１Ｂをターンオンすることによって、抵抗制御器４６１は、抵抗４３０Ａ及び４４０Ａをそれぞれショートする。一実施例において、スイッチ４６１Ａ及び４６１Ｂは、バッテリ保護アプリケーションにおいて過電圧固定障害保護が求められるか、もしくは必要とされるかどうかを示す信号ＯＶＰＦによって制御され得る。もし過電圧固定障害保護が求められるか、もしくは必要とされるならば、スイッチ４６１Ａ及び４６１Ｂがターンオフされ、そして出力端子ＯＵＴ１における電圧が、過電圧固定障害しきい値として出力され得ると共に、出力端子ＯＵＴ２における電圧が、過電圧しきい値として出力され得る。そうでなければ、スイッチ４６１Ａ及び４６１Ｂがターンオンされ、そして出力端子ＯＵＴ２における電圧が、過電圧しきい値として出力され得る。本発明において説明されたスイッチは、様々なタイプを有していることができると共に、それに限定されないが、Ｎチャネル金属酸化膜半導体電界効果トランジスタ、または、Ｐチャンネル金属酸化膜半導体電界効果トランジスタであり得る。
【００２６】
同様に、抵抗制御器４６２は、抵抗４３０Ｆ及び４４０Ｆをそれぞれショートするためのスイッチ４６２Ａ及び４６２Ｂを備えることができる。一実施例において、抵抗制御器４６２は、バッテリタイプを示す信号ＢＡＴＴによって制御され得る。例えば、リチウム−イオンバッテリまたはポリマバッテリに関して、スイッチ４６２Ａ及び４６２Ｂは、ターンオフされる。鉛酸蓄電池に関して、スイッチ４６２Ａ及び４６２Ｂは、ターンオンされる。一例として、リチウム−イオンバッテリまたはポリマバッテリの過電圧しきい値は、４．０［Ｖ］であり、そして、鉛酸蓄電池の過電圧しきい値は、２．４［Ｖ］である。有利に、抵抗制御器４６２の制御下で、過電圧しきい値は、異なるバッテリタイプに従って調整され得る。
【００２７】
図４の例において、抵抗制御器４６３は、抵抗４３０Ｄ及び４３０Ｅにそれぞれ並列に連結されたスイッチ４６３Ａ１及び４６３Ｂ１を備えると共に、抵抗４４０Ｄ及び４４０Ｅにそれぞれ並列に連結されたスイッチ４６３Ａ２及び４６３Ｂ２を備える。信号ＯＶＴに従って、抵抗制御器４６３は、抵抗列４３０内の１つ以上の抵抗をショートすることができると共に、同様に抵抗列４４０内の対応する抵抗をショートすることができる。有利に、端子ＯＵＴ２における電圧は、更に、異なるシステム要求に従って、異なるレベルに調整され得る。一例として、リチウム−イオンバッテリに関する過電圧しきい値は、４．０［Ｖ］から４．３５［Ｖ］まで、８つのレベルの間で調整され得る。
【００２８】
図４の例において、端子選択器４５１は、抵抗４４０Ｂ及び４４０Ｃに連結されたスイッチ４５１Ａ〜４５１Ｃを備える。端子選択器４５１は、信号ＯＶＲに従って端子ＯＵＴ２、ＯＵＴ３、及びＯＵＴ４の中から端子電圧を選択すると共に、選択された端子電圧を出力することができる。一実施例において、信号ＯＶＲに従って選択されて出力された端子電圧は、過電圧解除しきい値であり得る。一実施例において、過電圧解除しきい値は、過電圧しきい値より小さい。
【００２９】
同様に、端子選択器４５２は、信号ＯＣＴに従って端子ＯＵＴ１０、ＯＵＴ１１、及びグランド（アース）の中から端子電圧を選択すると共に、選択された端子電圧を出力するために、抵抗４４０Ｋ及び４４０Ｌに連結されたスイッチ４５２Ａ〜４５２Ｃを備える。一実施例において、信号ＯＣＴに従って選択されて出力された端子電圧は、過電流しきい値、例えば０．２５［Ｖ］であり得る。
【００３０】
図４の例において、端子選択器４５３は、抵抗４４０Ｇ〜４４０Ｊに連結されたスイッチ４５３Ａ〜４５３Ｈを備える。信号ＵＶＴに従って、端子選択器４５３は、スイッチ４５３Ｄ、４５３Ｆ、及び４５３Ｈを制御することによって、端子ＯＵＴ７、ＯＵＴ８、及びＯＵＴ９の中から端子電圧を選択すると共に、選択された端子電圧を出力することができる。一実施例において、信号ＵＶＴに従って選択されて出力された端子電圧は、不足電圧しきい値であり得る。更に、信号ＵＶＲに従って、端子選択器４５３は、スイッチ４５３Ａ〜４５３Ｃ、４５３Ｅ、及び４５３Ｇを制御することによって、端子ＯＵＴ５〜ＯＵＴ９の中から端子電圧を選択すると共に、選択された端子電圧を出力することができる。一実施例において、信号ＵＶＲに従って選択されて出力された端子電圧は、不足電圧解除しきい値であり得る。例えば、不足電圧解除しきい値は、不足電圧しきい値より０〜１Ｖ更に高い値であり得る。
【００３１】
有利に、一実施例において、端子選択器４５１〜４５３を使用することによって、基準回路４００は、基準電圧を、他の基準電圧に影響を及ぼさずに、調整することができ、例えば、基準回路４００は、端子選択器４５１によって選択されると共に出力された基準電圧を、端子選択器４５２によって選択されると共に出力された基準電圧に影響を及ぼさずに、調整することができる。抵抗制御器４６２〜４６３を使用することによって、基準回路４００は、同時に、複数の基準電圧を調整することができ、例えば、基準回路４００は、抵抗制御器４６３によって、端子ＯＵＴ１及びＯＵＴ２における基準電圧を同時に調整することができる。
【００３２】
図５は、基準信号を生成するための方法５００のフローチャートを例証する。図５は、図２と組み合わせて説明される。特定のステップが図５において開示されるが、そのようなステップは一例である。すなわち、本発明は、図５に記載されたステップの様々な他のステップまたは変種を実行するのに良く適している。
【００３３】
ステップ５１２において、第１の抵抗列内の端子における端子電圧が選択的に伝達される。ステップ５１４において、基準信号を生成するために、端子電圧は、第２の電圧と比較される。ステップ５１６において、第１の抵抗列内の抵抗、及び第１の抵抗列と実質的に同じである第２の抵抗列内の対応する抵抗が、選択的にショートされる。ステップ５１８において、第２の抵抗列内の端子における端子電圧が、第２の基準電圧として、選択的に提供される。一実施例において、バッテリの充電は、基準信号に従って制御される。別の実施例において、バッテリの放電は、基準信号に従って制御される。
【００３４】
前述の説明及び図が本発明の実施例を表す一方、添付の請求項において定義されたように、様々な追加物、修正物、及び置換物が、本発明の原理の精神及び範囲からはずれずに、その中に作成され得るということが理解されることになる。当業者は、本発明が、本発明の実行において使用される形式、構造、装置、割合、材料、要素、及び構成要素、そしてその他の多くの修正物によって使用され得ると共に、修正物は、本発明の原理からはずれずに、特定の環境及び動作要求に特に適応するということを認識することになる。ここで開示された実施例は、従って、全ての点で限定的ではなく実例となると共に、本発明の範囲は、添付された請求項、及びそれらの法律上の等価物によって示され、前述の説明に限定されないと考えられるべきである。
【符号の説明】
【００３５】
１００    基準回路
１１０    誤差増幅器
１２０    トリム制御器
１５０    抵抗列
１３０、１４０、１５２、１５４    抵抗
１５３    ノード
２００    基準回路
２１０    誤差増幅器
２１１    端子電圧
２２０    トリム制御器
２３０    第１の抵抗列
２４０    第２の抵抗列
２５０    端子選択器
２６０    抵抗制御器
２３Ａ〜２３Ｈ    抵抗
２４Ａ〜２４Ｈ    抵抗
２４＿１    端子
３００    バッテリ管理回路／システム
３１０    バッテリパック
３１１〜３１４    バッテリセル
３２０    バッテリ保護回路
３３０    ヒューズ
３４０    センサ
３５０、３６０、３７０    スイッチ
３８０    電源
３９０    負荷
４００    基準回路
４３０、４４０    抵抗列
４５１〜４５３    端子選択器
４６１〜４６３    抵抗制御器
４６１Ａ、４６１Ｂ    スイッチ
４６２Ａ、４６２Ｂ    スイッチ
４６３Ａ１、４６３Ｂ１    スイッチ
４６３Ａ２、４６３Ｂ２    スイッチ
４５１Ａ〜４５１Ｃ    スイッチ
４５２Ａ〜４５２Ｃ    スイッチ
４５３Ａ〜４５３Ｈ    スイッチ
４３０Ａ、４３０Ｄ、４３０Ｅ、４３０Ｆ    抵抗
４４０Ａ〜４４０Ｌ    抵抗
【図１】
2011198362.tif 000003
【図２】
2011198362.tif 000004
【図３】
2011198362.tif 000005
【図４】
2011198362.tif 000006
【図５】
2011198362.tif 000007
【外国語明細書】
2011198362.tif 000008
2011198362.tif 000009
2011198362.tif 000010
2011198362.tif 000011
2011198362.tif 000012
2011198362.tif 000013
2011198362.tif 000014
2011198362.tif 000015
2011198362.tif 000016
2011198362.tif 000017
2011198362.tif 000018
2011198362.tif 000019
2011198362.tif 000020
2011198362.tif 000021
2011198362.tif 000022
2011198362.tif 000023
2011198362.tif 000024
2011198362.tif 000025
2011198362.tif 000026
2011198362.tif 000027
2011198362.tif 000028
2011198362.tif 000029
2011198362.tif 000030
2011198362.tif 000031
2011198362.tif 000032
2011198362.tif 000033